(57)【要約】【課題】配電盤のブレーカの動作状態や電力供給の有無に関わらず、常に通信を行い得る電力線搬送通信システムを実現する。【解決手段】電力線搬送通信装置において、電力線から電力が供給されていないとき、ベースバンド信号を電力線に直接送信するとともに当該電力線から供給されるベースバンド信号を変復調手段に直接入力するようにした。また配電盤において、系統ブレーカが開状態のとき、対応する電力系統の電力線から供給されるベースバンド信号を電力線搬送通信信号に変換して、他の電力系統の電力線に送出するとともに、他の電力系統の電力線から供給される電力線搬送通信信号をベースバンド信号に変換して、対応する電力系統の電力線に送出するようにした。【選択図】　　　　図１
2004056218.tif 000002
【特許請求の範囲】
【請求項１】
所定の電力供給源から供給される電力を複数の電力系統の電力線にそれぞれ分配する分電盤と、上記電力線に接続され当該電力線を介して通信データを送受信する複数の電力線搬送通信装置とからなる電力線搬送通信システムにおいて、
上記電力線搬送通信装置は、
通信データを所定のベースバンド信号に変調して出力するとともに、外部から入力されるベースバンド信号を通信データに復調する変復調手段と、
上記変復調手段から出力される上記ベースバンド信号を上記電力線に注入して電力線搬送通信信号として送信するとともに、上記電力線から供給される上記電力線搬送通信信号から上記ベースバンド信号を抽出して上記変復調手段に入力する第１の信号変換手段と、
上記電力線から上記電力が供給されていないとき、上記第１の信号変換手段を迂回し、上記変復調手段から出力される上記ベースバンド信号を上記電力線に直接送信するとともに、当該電力線から供給される上記ベースバンド信号を上記変復調手段に直接入力する信号迂回手段と
を具え、
上記分電盤は、
上記電力供給源に接続されたメインブレーカと、
上記メインブレーカと上記複数の上記電力線の間にそれぞれ設けられた複数の系統ブレーカと、
複数の上記系統ブレーカにそれぞれ並列に設けられ、対応する上記系統ブレーカが開状態のとき、対応する上記電力系統の上記電力線から供給される上記ベースバンド信号を上記電力線搬送通信信号に変換して他の上記電力系統の電力線に送出するとともに、他の上記電力系統の電力線から供給される上記電力線搬送通信信号を上記ベースバンド信号に変換して上記対応する電力系統の上記電力線に送出する複数の第２の信号変換手段と
を具えることを特徴とする電力線搬送通信システム。
【請求項２】
上記第２の信号変換手段は、上記メインブレーカから上記電力が供給されておらず、かつ対応する上記系統ブレーカが開状態のとき、対応する上記電力系統の上記電力線から供給される上記ベースバンド信号を他の上記電力系統の電力線に直接送出するとともに、他の上記電力系統の電力線から供給される上記ベースバンド信号を上記対応する電力系統の上記電力線に直接送出する
ことを特徴とする請求項１に記載の電力線搬送通信システム。
【請求項３】
通信データを所定のベースバンド信号に変調して出力するとともに、外部から入力されるベースバンド信号を通信データに復調する変復調手段と、
上記変復調手段から出力される上記ベースバンド信号を所定の電力線に注入して電力線搬送通信信号として送信するとともに、上記電力線から供給される上記電力線搬送通信信号から上記ベースバンド信号を抽出して上記変復調手段に入力する信号変換手段と、
上記電力線から上記電力が供給されていないとき、上記第１の信号変換手段を迂回し、上記変復調手段から出力される上記ベースバンド信号を上記電力線に直接送信するとともに、当該電力線から供給される上記ベースバンド信号を上記変復調手段に直接入力する信号迂回手段と
を具えることを特徴とする電力線搬送通信装置。
【発明の詳細な説明】
【０００１】
【発明の属する技術分野】
本発明は電力線搬送通信システム及び電力線搬送通信装置に関し、例えば家庭内で電力線を介して有線通信を行う電力線搬送通信システムに適用して好適なものである。
【０００２】
【従来の技術】
近年、家庭やオフィス等の建築物内における有線通信方法として、電力線搬送通信（Ｐｏｗｅｒ　Ｌｉｎｅ　Ｃｏｍｍｕｎｉｃａｔｉｏｎ、ＰＬＣとも呼ぶ）システムが実現されている。
【０００３】
かかる電力線搬送通信システムにおいては、建築物の屋内に敷設されている電力線を通信線とし、当該電力線に供給されている電力（例えば交流１００Ｖ、５０Ｈｚ）を搬送波として情報信号を伝送したり、当該電力とは異なる周波数の搬送波の情報信号を電力線に注入して伝送することにより、別途通信用の配線を敷設することなく、所定の電力線搬送通信装置をコンセントに接続するだけで他の電力線搬送通信装置との間で通信を行い得るようになされている。
【０００４】
【発明が解決しようとする課題】
屋内の電力配線においては、例えば図９に示すように、屋外の変圧器（図示せず）から分電盤１０１に電力が供給されている。そして分電盤１０１においては、メインブレーカ１０２の下位に系統ブレーカ１０３Ａ〜１０３Ｃが接続されており、当該メインブレーカ１０２及び系統ブレーカ１０３Ａ〜１０３Ｃを介して各電力系統Ａ〜Ｃに電力を分配する。
【０００５】
そして電力線搬送システム１００においては、各電力系統Ａ〜Ｃの電力線にそれぞれ単数あるいは複数の電力線搬送通信装置（以下、これをＰＬＣ通信装置と呼ぶ）１０４が接続されている。各ＰＬＣ通信装置１０４には、それぞれ図示しないパーソナルコンピュータ等の各種情報通信装置が接続されており、当該情報通信装置はＰＬＣ通信装置１０４を介して、他のＰＬＣ通信装置１０４に接続された情報通信装置との間で電力線搬送通信を行い得るようになされている。
【０００６】
ここで図１０に示すように、過電流や漏電等の原因によって電力系統Ａの系統ブレーカ１０３Ａがオフ状態（開状態）になったとする。この場合、電力系統Ｂ内、電力系統Ｃ内、及び電力系統Ｂ及びＣ間においては電力線搬送通信が可能である。
【０００７】
しかしながら電力系統Ａにおいては、オフ状態にある系統ブレーカ１０３Ａによって他の電力系統Ｂ及びＣと物理的に切断された状態にある。さらに電力系統Ａにおいては、電力供給そのものも系統ブレーカ１０３Ａによって停止されているため、当該電力系統Ａ内の電力線搬送通信装置１０４は動作できない。このため電力系統Ａ内の電力線搬送通信装置１０４は、当該電力系統Ａの内外ともに電力線搬送通信を行うことができない。
【０００８】
また図１１に示すようにメインブレーカ１０２がオフ状態になった場合や、図１２に示すような停電時においては、全電力系統Ａ〜Ｃに対する電力供給が停止し、このため全ての電力線搬送通信装置１０４は動作できず、電力線搬送通信を行うことができない。
【０００９】
このように従来の電力線搬送通信システムにおいては、配電盤内のメインブレーカや系統ブレーカがオフ状態になった場合や停電時には電力線搬送通信装置が動作不能となり、通信を行い得ないという問題があった。
【００１０】
本発明は以上の点を考慮してなされたもので、ブレーカの動作状態や電力供給の有無に関わらず、常に通信を行い得る電力線搬送通信システム及び電力線搬送通信装置を提案しようとするものである。
【００１１】
【課題を解決するための手段】
かかる課題を解決するため本発明においては、所定の電力供給源から供給される電力を複数の電力系統の電力線にそれぞれ分配する分電盤と、電力線に接続され当該電力線を介して通信データを送受信する複数の電力線搬送通信装置とからなる電力線搬送通信システムにおいて、通信データを所定のベースバンド信号に変調して出力するとともに、外部から入力されるベースバンド信号を通信データに復調する変復調手段と、変復調手段から出力されるベースバンド信号を電力線に注入して電力線搬送通信信号として送信するとともに、電力線から供給される電力線搬送通信信号からベースバンド信号を抽出して上記変復調手段に入力する第１の信号変換手段と、電力線から電力が供給されていないとき第１の信号変換手段を迂回し、変復調手段から出力されるベースバンド信号を電力線に直接送信するとともに、当該電力線から供給されるベースバンド信号を変復調手段に直接入力する信号迂回手段とを電力線搬送通信装置に設けた。
【００１２】
また、電力供給源に接続されたメインブレーカと、メインブレーカと複数の電力線の間にそれぞれ設けられた複数の系統ブレーカと、複数の系統ブレーカにそれぞれ並列に設けられ、対応する系統ブレーカが開状態のとき、対応する電力系統の電力線から供給されるベースバンド信号を電力線搬送通信信号に変換して他の電力系統の電力線に送出するとともに、他の電力系統の電力線から供給される電力線搬送通信信号をベースバンド信号に変換して対応する電力系統の電力線に送出する複数の第２の信号変換手段とを配電盤に設けた。
【００１３】
さらに第２の信号変換手段は、メインブレーカから電力が供給されておらず、かつ対応する系統ブレーカが開状態のとき、対応する電力系統の電力線から供給されるベースバンド信号を他の電力系統の電力線に直接送出するとともに、他の電力系統の電力線から供給されるベースバンド信号を対応する電力系統の電力線に直接送出するようにした。
【００１４】
電力線搬送通信装置において、電力線から電力が供給されていないとき、当該電力線を介してベースバンド信号を直接送受信するようにするとともに、配電盤において、系統ブレーカの開閉状態及びメインブレーカからの電力供給の有無に応じて第２の信号変換手段の動作状態を変更することにより、電力供給の有無やブレーカの開閉状態に関わらず、常に電力線搬送通信装置間の通信を維持することができる。
【００１５】
【発明の実施の形態】
以下図面について、本発明の一実施の形態を詳述する。
【００１６】
（１）電力線搬送通信システムの全体構成
図１において、１は全体として本発明による電力線搬送通信システムを示し、屋外の変圧器（図示せず）から分電盤１０に電力が供給されている。そして分電盤１０においてはメインブレーカ１１に系統分電部１２Ａ〜１２Ｃが接続されており、当該系統分電部１２Ａ〜１２Ｃ内の系統ブレーカ１３Ａ〜１３Ｃを介して各電力系統Ａ〜Ｃの電力線３０Ａ〜３０Ｃに電力が分配されている。
【００１７】
そして電力線搬送システム１においては、各電力系統Ａ〜Ｃの電力線３０Ａ〜３０Ｃにそれぞれ単数あるいは複数のＰＬＣ通信装置２０が接続されている。各ＰＬＣ通信装置２０には、それぞれ図示しないパーソナルコンピュータ等の各種情報通信装置が接続されており、当該情報通信装置はＰＬＣ通信装置２０を介して、他のＰＬＣ通信装置２０に接続された情報通信装置との間で電力線搬送通信を行い得るようになされている。
【００１８】
さらにこの電力線搬送通信システム１においては、停電あるいはブレーカがオフ状態になることにより電力線に対する電力供給が停止した場合、当該電力供給が停止した電力系統内においては通信データをベースバンド信号のまま送受するとともに、当該電力供給が停止した電力系統と他の電力系統との間で、ベースバンド信号とＰＬＣ信号（後述）の変換を行うことにより、電力供給の有無やブレーカの開閉状態に関わらず常に全系統で通信を継続し得るようになされている。
【００１９】
（２）ＰＬＣ通信装置の構成
次に、ＰＬＣ通信装置２０の構成を図２を用いて説明する。
【００２０】
図２に示すようにＰＬＣ通信装置２０においては、電源コンセントに挿入して電力線３０（３０Ａ〜３０Ｃ）から電力を受電するための電源プラグ２１に選択スイッチ２２が接続されている。選択スイッチ２２は２つの選択端子２２ａ及び２２ｂを有している。選択端子２２ａには、データ変換部２３を介してＰＬＣ通信制御部２４が接続されているのに対し、選択端子２２ｂにはＰＬＣ通信制御部２４が直接接続されている。
【００２１】
選択スイッチ２２、データ変換部２３、ＰＬＣ通信制御部２４及び電源電圧モニタ部２５は電源プラグ２１から供給される電力で動作する。またＰＬＣ通信装置２０にはバッテリー２６が設けられており、当該バッテリー２６は電源プラグ２１から供給される電力によって常時充電されるとともに、停電や配電盤１０内のブレーカがオフ状態になり電源プラグ２１からの電力供給が停止した場合は、選択スイッチ２２、ＰＬＣ通信制御部２４及び電源電圧モニタ部２５に電源を供給する。
【００２２】
変復調手段としてのＰＬＣ通信制御部２４は、情報処理装置（図示せず）から供給される通信データを所定周波数帯域のベースバンド信号に変調してデータ変換部２３及び選択スイッチ２２に出力するとともに、データ変換部２３又は選択スイッチ２２から供給されるベースバンド信号を通信データに復調して情報処理装置に出力する。
【００２３】
一方電源電圧モニタ部２５は、電源プラグ２１を介して電力線３０の電源電圧を常に監視しており、電力供給の有無に応じて選択スイッチ２２を切り換える。
【００２４】
すなわち、電源プラグ２１から電力が供給されている電力供給状態において、電源電圧モニタ部２５は選択スイッチ２２を選択端子２２ａ側に選択する。この状態において、第１の信号変換手段としてのデータ変換部２３は、ＰＬＣ通信制御部２４から供給されるベースバンド信号を電力線に注入し、ＰＬＣ信号として選択スイッチ２２及び電源プラグ２１を介して分電盤１０に送出する。同時にデータ変換部２３は、電力線を介して供給されるＰＬＣ信号からベースバンド信号を抽出し、ＰＬＣ通信制御部２４に出力する。この状態をＰＬＣモードと呼ぶ。
【００２５】
これに対し、停電あるいは配電盤１０内のブレーカがオフ状態になることによって電力が供給されていない電力供給停止状態において、電源電圧モニタ部２５は信号迂回手段としての選択スイッチ２２を選択端子２２ｂ側に選択し、これによりデータ変換部２３はバイパスされる。そしてＰＬＣ通信装置２０は、ＰＬＣ通信制御部２４から供給されるベースバンド信号をそのまま電力線３０に送出するとともに、当該電力線３０から供給されるベースバンド信号をそのままＰＬＣ通信制御部２４に入力する。この状態をベースバンドモードと呼ぶ。
【００２６】
かくしてＰＬＣ通信装置２０は、電力供給状態においてＰＬＣモードで動作し、通信データをＰＬＣ信号に変換して送受するのに対し、電力供給停止状態においてはベースバンドモードで動作し、通信データをベースバンドモードのまま送受する。
【００２７】
（３）分電盤の構成
次に、分電盤１０の構成を図３を用いて説明する。
【００２８】
図３に示すように分電盤１０においては、各系統分電部１２Ａ〜１２Ｃ内にそれぞれ系統ブレーカ１３Ａ〜１３Ｃ、データ制御部１４Ａ〜１４Ｃ及びブレーカモニタ部１５Ａ〜１５Ｃが設けられている。通常、データ制御部１４Ａ〜１４Ｃ及びブレーカモニタ部１５Ａ〜１５Ｃは、メインブレーカ１１から供給される電力で動作する。
【００２９】
また分電盤１０にはバッテリー１６が設けられている。このバッテリー１６はメインブレーカ１１から供給される電力によって常時充電されるとともに、停電時やメインブレーカ１１がオフ状態の時にはデータ制御部１４Ａ〜１４Ｃ及びブレーカモニタ部１５Ａ〜１５Ｃに電力を供給する。
【００３０】
図４はデータ制御部１４（１４Ａ〜１４Ｃ）の構成を示し、選択スイッチ１７と、データ変換部１８とを有している。選択スイッチ１７は３つの選択端子１７ａ〜１７ｃを有しており、対応するブレーカモニタ部１５（１５Ａ〜１５Ｃ）の制御に応じて当該選択端子１７ａ〜１７ｃを切り換える。
【００３１】
選択スイッチ１７の選択端子１７ｃにはデータ変換部１８が接続されている。データ変換部１８は、電力線３０（３０Ａ〜３０Ｃ）から供給されるベースバンド信号をＰＬＣ信号に変換して選択スイッチ１７に送出するとともに、当該選択スイッチ１７から供給されるＰＬＣ信号をベースバンド信号に変換して電力線３０に送出する。また、選択スイッチ１７の選択端子１７ｂは電力線３０に直接接続されているのに対し、選択端子１７ａはどこにも接続されていない。
【００３２】
これによりデータ制御部１４は、選択端子１７ｃを選択した状態においては当該データ制御部１４を通過するデータを変換し（変換モード）、選択端子１７ｂを選択した状態においては切断状態（切断モード）となり、選択端子１７ａを選択した状態においては導通状態（スルーモード）となる。
【００３３】
ブレーカモニタ部１５は、メインブレーカ１１からの電力供給の有無及び対応する系統ブレーカ１３の動作状態に応じて選択スイッチ１７を切替え、それぞれ対応するデータ制御部１４を変換モード、切断モード又はスルーモードに制御することにより、停電やブレーカの状態に関わらず、電力線搬送通信システム１における通信を常時行い得るようになされている。
【００３４】
（４）データ制御部の動作モード制御
次に、ブレーカモニタ部１５によるデータ制御部１４の動作モード制御を場合分けして説明する。
【００３５】
まず図５に示すように、メインブレーカ１１及び系統ブレーカ１３Ａ〜１３Ｃの全てがオン状態（閉状態）で、メインブレーカ１１から電力供給が行われている通常状態の場合について説明する。
【００３６】
この状態において、各電力線３０Ａ〜３０Ｂは系統ブレーカ１３Ａ〜１３Ｃを介して全て導通しているとともに、各電力線３０Ａ〜３０Ｃには電力が供給されており、全てのＰＬＣ通信装置２０は通常のＰＬＣ通信が可能な状態にある。
【００３７】
このような「メインブレーカ１１からの電力供給あり」かつ「系統ブレーカオン状態」のとき、ブレーカモニタ部１５は選択スイッチ１７（図４）の選択端子１７ａを選択し、データ制御部１４を切断モードに制御する。また、各電力線３０Ａ〜３０Ｃには電力が供給されていることから、全てのＰＬＣ通信装置２０はＰＬＣモードで動作する。
【００３８】
次に、図６に示すように、メインブレーカ１１、系統ブレーカ１３Ｂ及び１３Ｃがオン状態（閉状態）、系統ブレーカ１３Ａがオフ状態（開状態）、かつメインブレーカ１１から電力供給が行われている状態の場合について説明する。
【００３９】
この状態において、電力線３０Ｂと３０Ｃは系統ブレーカ１３Ｂ及び１３Ｃを介して導通しているとともに、当該電力線３０Ｂと３０Ｃには電力が供給されている。これに対して電力線３０Ａは、系統ブレーカ１３Ａがオフ状態にあるため他の電力線３０Ｂ及び３０Ｃとは切断されており、電力供給も停止している。
【００４０】
このような「メインブレーカ１１からの電力供給あり」かつ「系統ブレーカオフ状態」のとき、ブレーカモニタ部１５Ａは選択スイッチ１７の選択端子１７ｃを選択し、データ制御部１４Ａを変換モードに制御する。また、電力線３０Ａには電力が供給されていないことから、電力系統ＡのＰＬＣ通信装置２０はベースバンドモードで動作する。そして、変換モードで動作している第２の信号変換手段としてのデータ制御部１４Ａは、ベースバンド信号（電力系統Ａ）とＰＬＣ信号（電力系統Ｂ及び電力系統Ｃ）とを相互変換する。
【００４１】
かくして電力線搬送通信システム１においては、系統ブレーカがオフ状態にある場合でも、システム内の通信を維持し得るようになされている。
【００４２】
次に、図７に示すように、メインブレーカ１１及び系統ブレーカ１３Ａがオフ状態、かつ系統ブレーカ１３Ｂ及び１３Ｃがオフ状態の場合について説明する。なお、変圧器からの電力供給が停止した停電状態は、メインブレーカオフ状態と同等に考えることができる。
【００４３】
この状態において、電力線３０Ｂと３０Ｃは系統ブレーカ１３Ｂ及び１３Ｃを介して導通しているのに対し、電力線３０Ａは系統ブレーカ１３Ａがオフ状態にあるため他の電力線３０Ｂ及び３０Ｃと切断されている。またメインブレーカ１１がオフ状態にあることから、全電力線３０Ａ〜３０Ｃに対する電力供給が停止している。このため、全てのＰＬＣ通信装置２０はベースバンドモードで動作する。
【００４４】
「メインブレーカ１１からの電力供給なし」かつ「系統ブレーカオフ状態」のとき、ブレーカモニタ部１５Ａは選択スイッチ１７の選択端子１７ｂを選択し、データ制御部１４Ａをスルーモードに制御する。これによりデータ制御部１４Ａはオフ状態にある系統ブレーカ１３Ａをバイパスし、電力線３０Ａを他の電力線３０Ｂ及び３０Ｃに接続する。また、「メインブレーカ１１からの電力供給なし」かつ「系統ブレーカオン状態」にあるブレーカモニタ部１５Ｂ及び１５Ｃは、選択スイッチ１７の選択端子１７ａを選択し、データ制御部１４Ａを切断モードに制御する。
【００４５】
かくして電力線搬送通信システム１においては、停電やメインブレーカ１１がオフ状態になることにより当該メインブレーカ１１からの電力供給が停止した場合でも、システム内の通信を維持し得るようになされている。
【００４６】
（５）動作及び効果
以上の構成において、分電盤１０のブレーカモニタ部１５は、メインブレーカ１１からの電力供給の有無と、対応する系統ブレーカ１３の動作状態とに基づいて、データ制御部１４の動作モードを制御する。
【００４７】
ブレーカモニタ部１５は、メインブレーカ１１からの電力供給があり、かつ系統ブレーカ１３がオン状態にある場合、通常状態として系統ブレーカ１４を切断モードに制御する。このとき電力線３０にはメインブレーカ１１から系統ブレーカ１３を介して電力が供給される。そしてＰＬＣ通信装置２０は、当該供給される電力によってＰＬＣモードで動作し、他のＰＬＣ通信装置２０との間で電力線搬送通信を行う。
【００４８】
またブレーカモニタ部１５は、メインブレーカ１１からの電力供給があり、かつ系統ブレーカ１３がオフ状態にある場合、データ制御部１４を変換モードに制御する。この場合、電力線３０には電力が供給されず、ＰＬＣ通信装置２０は内蔵するバッテリー２６によってベースバンドモードで動作する。
【００４９】
そしてデータ制御部１４は変換モードで動作し、ベースバンドモードで動作中のＰＬＣ通信装置２０と他の電力系統下でＰＬＣモードで動作中の他のＰＬＣ通信装置２０との間で、ベースバンド信号とＰＬＣ信号とを相互変換することにより、系統ブレーカがオフ状態にある電力系統と他の電力系統との間の通信を維持する。
【００５０】
さらにブレーカモニタ部１５は、メインブレーカ１１からの電力供給がなく、かつ系統ブレーカ１３がオフ状態にある場合、データ制御部１４をスルーモードに制御する。この場合、全電力系統の電力線３０には電力が供給されず、全てのＰＬＣ通信装置２０はベースバンドモードで動作する。
【００５１】
そしてデータ制御部１３は、オフ状態にある系統ブレーカ１３をバイパスし、電力線３０を他の電力線に接続する。これにより電力線搬送通信システム１は、システム内全てでベースバンド通信を行う。
【００５２】
上述したデータ制御部１４とＰＬＣ通信装置２０の動作モードの関係を図８に示す。
【００５３】
かくして電力線搬送通信システム１においては、メインブレーカ１１からの電力供給の有無及び系統ブレーカ１３の状態に応じてデータ制御部１４Ａ〜１４Ｃの動作モードを制御するとともに、電力線３０に対する電力供給の有無に応じてＰＬＣ通信装置２０の動作モードを切り換えるようにしたことにより、電力供給が停止した電力系統内においてはベースバンド通信を用いて通信を確保し、さらに電力供給が行われている電力系統との間でベースバンド信号とＰＬＣ信号の相互変換を行い、電力供給の有無やブレーカの状態に関わらず、ＰＬＣ通信装置２０間の通信を常に維持することができる。
【００５４】
（６）他の実施の形態
なお上述の実施の形態においては、電力線搬送通信システム１が３つの電力系統Ａ〜Ｃを有する場合について述べたが、本発明はこれに限らず、２つあるいは３つ以上の電力系統を有する電力線搬送通信システムに本発明を適用してもよい。
【００５５】
【発明の効果】
上述のように本発明によれば、電力線搬送通信装置において、電力線から電力が供給されていないとき、当該電力線を介してベースバンド信号を直接送受信するようにするとともに、配電盤において、系統ブレーカの開閉状態及びメインブレーカからの電力供給の有無に応じて第２の信号変換手段の動作状態を変更することにより、ブレーカの動作状態や電力供給の有無に関わらず常に電力線搬送通信装置間の通信を維持し得る電力線搬送通信システムを実現できる。
【図面の簡単な説明】
【図１】本発明による電力線搬送通信システムの全体構成を示すブロック図である。
【図２】本発明によるＰＬＣ通信装置の全体構成を示すブロック図である。
【図３】分電盤の構成を示すブロック図である。
【図４】データ制御部の構成を示すブロック図である。
【図５】メインブレーカ及び全系統ブレーカがオン状態の場合の説明に供するブロック図である。
【図６】電力系統Ａの系統ブレーカがオフ状態の場合の説明に供するブロック図である。
【図７】メインブレーカ及び電力系統Ａの系統ブレーカがオフ状態の場合の説明に供するブロック図である。
【図８】データ制御部とＰＬＣ通信装置の動作モードの関係を示す表である。
【図９】従来の電力線搬送通信システムを示すブロック図である。
【図１０】電力系統Ａの系統ブレーカがオフ状態の場合の説明に供するブロック図である。
【図１１】メインブレーカがオフ状態の場合の説明に供するブロック図である。
【図１２】停電状態の場合の説明に供するブロック図である。
【符号の説明】
１、１００……電力線搬送通信システム、１０、１０１……分電盤、１１、１０２……メインブレーカ、１２Ａ〜１２Ｃ……系統分電部、１３Ａ〜１３Ｃ、１０３Ａ〜１０３Ｃ……系統ブレーカ、１４Ａ〜１４Ｃ……データ制御部、１５Ａ〜１５Ｃ……ブレーカモニタ部、１６、２６……バッテリー、１７、２２……選択スイッチ、１８、２８……データ変換部、２０、１０４……ＰＬＣ通信装置、２１……電源プラグ、２４……ＰＬＣ通信制御部、２５……電源電圧モニタ部、３０Ａ〜３０Ｃ……電力線制御部。
【図１】
2004056218.tif 000003
【図２】
2004056218.tif 000004
【図３】
2004056218.tif 000005
【図４】
2004056218.tif 000006
【図５】
2004056218.tif 000007
【図６】
2004056218.tif 000008
【図７】
2004056218.tif 000009
【図８】
2004056218.tif 000010
【図９】
2004056218.tif 000011
【図１０】
2004056218.tif 000012
【図１１】
2004056218.tif 000013
【図１２】
2004056218.tif 000014